(57)【特許請求の範囲】
【請求項１】
透明部材からなる屋根及び壁を備える温室の床下に設けられた地下貯水槽と、
該温室内の床上に設けられ、断熱材が配設された壁及び天井と、該天井を貫通する通気孔とを備える保温室と、
該保温室の上方に設けられた栽培棚とを備える複合農業施設であって、
該地下貯水槽に収容された水を汲み上げる揚水手段と、
該揚水手段により汲み上げられた水を該屋根に撒水する撒水手段とを備え、
該屋根はその傾きに沿って流下する水を貯留する複数の凹部を備えることを特徴とする複合農業施設。
【請求項２】
請求項１記載の複合農業施設において、前記屋根及び壁の外方に設けられた透明部材からなる外壁を備えることを特徴とする複合農業施設。
【請求項３】
請求項１又は請求項２記載の複合農業施設において、前記地下貯水槽は積雪を収容することを特徴とする複合農業施設。
【請求項４】
請求項１〜請求項３のいずれか１項記載の複合農業施設において、前記地下貯水槽は地下水を汲み上げるポンプを備えることを特徴とする複合農業施設。
【請求項５】
請求項１〜請求項４のいずれか１項記載の複合農業施設において、前記撒水手段により前記屋根に撒水された水を回収して前記地下貯水槽に循環させる循環手段と、回収された水の温度を撒水前の温度に調整する温度調整手段とを備えることを特徴とする複合農業施設。
【請求項６】
請求項１〜請求項５のいずれか１項記載の複合農業施設において、前記温室はビニールハウスであることを特徴とする複合農業施設。
【発明の詳細な説明】
【技術分野】
【０００１】
本発明は、複合農業施設に関する。
【背景技術】
【０００２】
従来、温室の床下に地下貯水槽を備える一方、温室内の床上に畜産施設、有機肥料製造施設、農作物栽培施設等を階層的に備え、該地下貯水槽から汲み上げた水を屋根に撒水することにより温室内の温度を調節するようにした複合農業施設が知られている（例えば、特許文献１参照）。
【先行技術文献】
【特許文献】
【０００３】
【特許文献１】特開平１０−２６２４７９号公報
【発明の概要】
【発明が解決しようとする課題】
【０００４】
しかしながら、前記複合農業施設では、前記地下貯水槽から汲み上げた水を単に撒水管から屋根に流しているに過ぎない。このため、例えば夏季においては、水が流れた部分では温度が下がるが、それ以外の部分の温度は下がらず、温室内の温度を均一に調整することが難しいという不都合がある。
【０００５】
本発明は、かかる不都合を解消して、温室内の温度を均一に調整することができる複合農業施設を提供することを目的とする。
【課題を解決するための手段】
【０００６】
かかる目的を達成するために、本発明の複合農業施設は、透明部材からなる屋根及び壁を備える温室の床下に設けられた地下貯水槽と、該温室内の床上に設けられ、断熱材が配設された壁及び天井と、該天井を貫通する通気孔とを備える保温室と、該保温室の上方に設けられた栽培棚とを備える複合農業施設であって、該地下貯水槽に収容された水を汲み上げる揚水手段と、該揚水手段により汲み上げられた水を該屋根に撒水する撒水手段とを備え、該屋根はその傾きに沿って流下する水を貯留する複数の凹部を備えることを特徴とする。
【０００７】
本発明の複合農業施設は、前記温室の床下に設けられた前記地下貯水槽と、温室内の床上に設けられた前記保温室と、前記栽培棚とを備える。前記保温室は、断熱材が配設された壁及び天井を備えており、その内部を温室内の雰囲気よりも高い温度に維持することができるので、堆肥、家畜糞尿等を発酵させて有機肥料を製造したり、キノコ等を栽培したりする用途に好適に用いることができる。また、前記栽培棚は、前記保温室の上方に設けられ、植木鉢、プランター等を載置して農作物、花卉等の栽培を行うことができる。
【０００８】
このとき、前記保温室では、前記堆肥、家畜糞尿等の発酵により発生する発酵熱又は、前記キノコ等の栽培による発熱を前記通気孔から上方に逃がすことができるので、前記熱により、前記栽培棚で栽培される農作物、花卉等を加温することができ、その成育を促進することができる。
【０００９】
ところで、このようにするときには、夏季等において前記温室内の温度が過度に高くなることが懸念される。また、冬季等には、前記熱を利用しても前記温室内の温度が十分に高くならないことが懸念される。
【００１０】
そこで、本発明の複合農業施設は、前記地下貯水槽に収容された水を前記揚水手段により汲み上げ、前記撒水手段により前記温室の屋根に撒水する。このようにすると、前記撒水手段から撒水された水が前記屋根の上に拡がって流れるため、前記温室の屋根及び壁の全面を流水で覆うことができ、その水温により温室内を均一に冷却又は加温することができる。
【００１１】
また、このとき前記屋根は、その傾きに沿って流下する水を貯留する複数の凹部を備えるので、該凹部により該屋根上における水の滞留時間を長くすることができ、その水温により前記温室内を冷却又は加温するときにより大きな効果を得ることができる。
【００１２】
本発明の複合農業施設において、前記温室は、前記屋根及び壁の外方に設けられた透明部材からなる外壁を備えることが好ましい。前記温室は、前記外壁を備えることにより、該外壁と前記屋根及び壁との間に空気層を形成することができ、該空気層と前記屋根の凹部に貯留される水とにより、該温室の内外の温度差を大きくすることができる。
【００１３】
また、本発明の複合農業施設において、前記地下貯水槽は積雪を収容するようにしてもよく、地下水を汲み上げるポンプを備えていてもよい。前記地下貯水槽は積雪を収容する場合、夏季にはその融水を前記温室の屋根に撒水することにより、温室内を冷却することができる。また、前記地下貯水槽は地下水を汲み上げるポンプを備える場合、冬季には該ポンプにより汲み上げられた地下水を貯留し、該地下水を前記温室の屋根に撒水することにより、積雪を融かしたり、温室内を加温したりすることができる。
【００１４】
また、本発明の複合農業施設は、前記撒水手段により前記屋根に撒水された水を回収して前記地下貯水槽に循環させる循環手段と、回収された水の温度を撒水前の温度に調整する温度調整手段とを備えることが好ましい。
【００１５】
前記循環手段は、前記撒水手段により前記温室の屋根に撒水された水を回収して前記地下貯水槽に循環させるが、一旦前記屋根に撒水された水は、該屋根の上を流下する間に外気や積雪と熱交換するため、加熱又は冷却されている。そこで、前記温度調整手段は、前記循環手段により回収された水を加熱又は冷却し、回収された水の温度を撒水前の温度に調整する。
【００１６】
このようにすることにより、前記地下貯水槽に貯留される水の温度が常に一定に保持されるので、該地下貯水槽に貯留される水を該地下貯水槽と前記屋根との間で循環させて使用することができる。
【００１７】
本発明の複合農業施設において、前記温室は、例えばビニールハウスとすることができる。
【図面の簡単な説明】
【００１８】
【図１】本発明の複合農業施設の構成を模式的に示す断面図。
【発明を実施するための形態】
【００１９】
次に、添付の図面を参照しながら本発明の実施の形態についてさらに詳しく説明する。
【００２０】
図１に示すように、本実施形態の複合農業施設１は、例えば、透明な合成樹脂製シートからなる外壁２と、外壁２の内部に設けられたビニールハウスからなる温室３と、温室３の床下に設けられた地下貯水槽４と、温室３内の床上に設けられた保温室５と、栽培棚６とを備える。
【００２１】
温室３は、図示しない支柱により支持されており、切妻型の屋根３ａと、屋根３ａの下端に連なる壁３ｂとからなる。屋根３ａは透明な合成樹脂製板材からなり、上部から下部に向かって凹部７と凸部８とが交互に連なる波形状を備えている。また、壁３ｂは平板状の透明な合成樹脂製板材からなる。
【００２２】
また、屋根３ａは、その頂部を形成する棟の稜線に沿って延在する水管３ｃを備えており、水管３ｃはその長さ方向に沿って屋根３ａ上に開口する複数の孔部（図示せず）を備え、該孔部から屋根３ａ上に撒水する撒水手段を構成している。尚、屋根３ａ及び壁３ｂは図に対し垂直方向に延在しており、その両端面は図示しない透明な合成樹脂製板材からなる壁により閉塞されている。
【００２３】
地下貯水槽４は、例えばコンクリートにより形成することができ、内部に収容されている貯留水Ｗを底部から汲み出す揚水管９を備えている。揚水管９は、揚水ポンプ１０を介して水管３ｃに接続されており、揚水管９及び揚水ポンプ１０により揚水手段が構成されている。
【００２４】
また、温室３の壁３ｂの下部には屋根３ａに撒水された水を回収する回収管１１が接続されており、回収管１１の端部は地下貯水槽４内に開口している。この結果、回収管１１により、屋根３ａに撒水された水を地下貯水槽４に循環させる循環手段が構成されている。
【００２５】
また、回収管１１の途中には、回収された水の温度を調整する温度調整手段１２が設けられている。温度調整手段１２は、いずれも図示しないクーリングタワー及びヒーターを備え、該クーリングタワーと該ヒーターとは、回収された水の温度に応じて選択的に使用される。
【００２６】
さらに、地下貯水槽４は地下水供給管１３を備えており、地下水供給管１３の途中には地下水を汲み上げるポンプ１４が配設されている。
【００２７】
次に、保温室５は、断熱材が配設された壁及び天井を備えており、その内部を温室３内の雰囲気よりも高い温度に維持することができるようになっている。保温室５の壁及び天井は、市販の断熱ボードにより形成することができ、該断熱ボードは例えば２枚の板材の間にグラスウール、ウレタンフォーム等の断熱材が挟持された構成を備えている。保温室５は、その構造から、堆肥、家畜糞尿等を発酵させて有機肥料を製造したり、キノコ等を栽培したりする用途に好適に用いることができる。
【００２８】
栽培棚６は、保温室５の上方に設けられており、植木鉢、プランター等の容器６ａを載置することにより、農作物、花卉等の植物Ｖの栽培を行うことができる。
【００２９】
本実施形態の複合農業施設１の作用について説明する。
【００３０】
本実施形態の複合農業施設１では、保温室５の内部で前記有機肥料の製造やキノコ等の栽培を行うことができる。このとき、保温室５内部の雰囲気は、前記堆肥、家畜糞尿等の発酵により発生する発酵熱又は、前記キノコ等の栽培による発熱等により７０〜９０℃程度の高温になるが、該雰囲気は保温室５の天井に設けられた通気孔５ａから上方に逃がすことができる。
【００３１】
また、温室３では、透明な合成樹脂製透明シートからなる外壁２と、透明な合成樹脂製板材からなる屋根３ａ及び壁３ｂを介して採光することができるので、栽培棚６上に載置された植木鉢、プランター等の容器６ａに収容された土壌で農作物、花卉等の植物Ｖを栽培することができる。このとき、栽培棚６上は保温室５の通気孔５ａから供給される高温の雰囲気により加温されるので、前記農作物、花卉等の植物Ｖの成育を促進することができる。
【００３２】
ところで、このようにするときには、夏季等には温室３内の温度が過度に高くなることがあり、冬季等には前記熱を利用しても温室３内の温度が十分に高くならないことがある。
【００３３】
そこで、本実施形態の複合農業施設１では、地下貯水槽４に収容された水を揚水管９及び揚水ポンプ１０により汲み上げ、温室３の水管３ｃから屋根３ａ上に撒水する。このようにすると、水管３ｃから撒水された水が屋根３ａ上に拡がって流れるため、屋根３ａ及び壁３ｂの全面を流水で覆うことができ、その水温により温室３内を均一に冷却又は加温することができる。
【００３４】
このとき、屋根３ａは、前述のように上部から下部に向かって凹部７と凸部８とが交互に連なる波形状を備えているので、水管３ｃから撒水された水はまず凹部７に貯留され、凹部７から溢れた水が凸部８を超えて次の凹部７に貯留される。この結果、屋根３ａ上における水の滞留時間を長くすることができ、その水温により温室３内を冷却又は加温するときにより大きな効果を得ることができる。
【００３５】
本実施形態の複合農業施設１では、冬季の積雪を地下貯水槽４に貯留しておき、夏季にはその融水を屋根３ａ上に撒水することにより、温室３内を冷却することができる。また、本実施形態の複合農業施設１では、冬季にはポンプ１４により地下水供給管１３を介して汲み上げた地下水を地下貯水槽４に貯留し、該地下水を屋根３ａ上に撒水することにより、外壁２上の積雪を融かしたり、温室３内を加温したりすることができる。
【００３６】
尚、本実施例では、外壁２の内部にビニールハウスからなる温室３を設けているが、外壁２をビニールハウスとし、その内部に温室３を設けるようにしてもよい。また、本実施例では、屋根３ａを透明な合成樹脂製板材により構成しているが、屋根３ａは透明な合成樹脂製シートにより構成し、適宜フレーム等を用いて凹部７及び凸部８を形成するようにしてもよい。
【符号の説明】
【００３７】
１…複合農業施設、  ２…外壁、  ３…温室、  ３ａ…屋根、  ３ｂ…壁、  ３ｃ…水管（撒水手段）、  ４…地下貯水槽、  ５…保温室、  ６…栽培棚、  ７…凹部、  ９…揚水管（揚水手段）、  １０…揚水ポンプ（揚水手段）。
【図１】
0006491618.tif 000002